(57)【要約】  本発明は、少なくとも２つの横壁（１２）を有する支承プレート（１）を備える収納式のキーホルダに関する。本発明によれば、少なくとも１つのキー保持軸（２）及び少なくとも１つのキー位置決めピン（３）が、前述の壁部の間に装着される。複数のキー（４）は、回転できるようにキー保持軸（２）に配置され、一方、ピン（３）は、キー（４）を少なくとも１つの中間角度位置に位置決めするために使用され、前記ピンは、各々のキー（４）の頭部に形成された少なくとも１つの溝（４１）と協働する。本発明は、キーホルダとして使用することができる。
2008508009.tif 000002
【特許請求の範囲】
【請求項１】
収容可能なキーホルダにおいて、該収容可能なキーホルダが、最小寸法の２つの側壁（１２）を画定する支承プレート（１）を有し、前記２つの側壁の間に、
ａ）複数のキー（４）が回転できるように配置される少なくとも１つのキーホルダ軸（２）と、
ｂ)各々のキー（４）の対応する頭部に作られた少なくとも１つの溝（４１）と組み合わせて作用することによって、前記複数のキー（４）を少なくとも１つの中間角度に置く、少なくとも１つの位置決めピン（３)と、
が取り付けられることを特徴とする収容可能なキーホルダ。
【請求項２】
前記各々のキー（４）の頭部の最大寸法（Ｄ）が、前記支承プレート（１）の側壁（１１）の高さ（ｈ）以下であり、キーの幅に非常に近いことを特徴とする、請求項１に記載の収容可能なキーホルダ。
【請求項３】
前記ピン（３）が、前記キー（４）の適合する溝（４１）内への前記ピンの収容又は引き抜きを容易にするために、弾性変形可能な材料から作られることを特徴とする、請求項１又は２に記載の収容可能なキーホルダ。
【請求項４】
前記ピン（３）が剛性材料から作られ、また前記溝（４１）が在る前記キー（４）の周りの領域が、前記複数のキー（４）の適合する溝（４１）内への前記ピン（３）の収容又は引き抜きを容易にするために、弾性変形可能な材料から作られることを特徴とする、請求項１又は２に記載の収容可能なキーホルダ。
【請求項５】
ａ）前記キーホルダ軸（２）が、比較的大きめに設計されるピン（３）を収容する、生成されたスポットを有し、
ｂ)前記溝（４１）が、前記複数のキー（４）の頭部に形成された孔（４０）の周りに作られることを特徴とする、請求項１〜４のいずれか１項に記載の収容可能なキーホルダ。
【請求項６】
前記支承プレート（１）の前記側壁（１２）が、比較的大きめに設計される前記ピン（３）を収容する横断スロットを有する基部プレート（１１）によって互いに結合され、前記溝（４１）が前記キー（４）の頭部の外周に作製されることを特徴とする、請求項１〜４のいずれか１項に記載の収容可能なキーホルダ。
【請求項７】
前記支承プレート（１）が、更に、前記支承プレートの側壁（１２）の一方の端部に第２の軸（６）を有し、ヒンジカバー（７）が前記第２の軸（６）に装着され、前記キーが収納位置にあるときに前記キー（４）を視界から隠すことを特徴とする、請求項６に記載の収容可能なキーホルダ。
【請求項８】
各々の前記支承プレート（１）が、更に各々の支承プレートを１つまたは複数の隣接する他の支承プレート（１）に固定する、または固定面に固定する手段（５）を含むことを特徴とする、請求項１〜７のいずれか１項に記載の収容可能なキーホルダ。
【請求項９】
前記手段（５)が、特に前記基部プレート（１１）に及び／又は前記側壁（１２）の少なくとも一方に配置された磁石を有することを特徴とする、請求項８に記載の収容可能なキーホルダ。
【請求項１０】
少なくとも各々の支承プレート（１）が、更に例えばスナップリングに固定するための手段（リング又は孔）を含むことを特徴とする、請求項１〜７のいずれか１項に記載の収容可能なキーホルダ。
【発明の詳細な説明】
【技術分野】
【０００１】
本発明の目的は、特にキーホルダと、より一般的な用語で物体ホルダとから構成され、この物体ホルダには、あらゆる種類のキー又は物体（例えば、爪切り、ナイフブレード、爪やすり又は同様の物体）が使用時に開いて出され、かつ非使用時に収納されることができるように配置される。
【発明の開示】
【発明が解決しようとする課題】
【０００２】
すべてのキーホルダに共通の１つの問題は、キーによって占められる大きな体積により生じる不便さである。このような問題は、キーホルダが多数のキーを保持する場合、さらに顕著となる（例えば、多数棟のアパートの管理人のオフィス、学校及び他の公共施設又は同様の場所）。
【０００３】
さらに、第２の問題は、同一のキーホルダに支承された（使用するキー以外の）キーによってもたらされるドア及びフレーム両方の摩耗が含まれ、さらに騒音を生じ、またユーザを悩ませる（ならびにユーザのポケットを損傷する）キーセットの過度の重量及び／又は体積が含まれる。
【課題を解決するための手段】
【０００４】
本発明の目的は、これらの問題を回避することである。
【０００５】
収容可能なキーホルダは、最小の空間で多数のキーを保持できる収容可能なキーホルダであって、使用するキーのみが開いて出されるように配置され、残りのキーは完全に支承プレートの内部に収納され、残りのキーは突出しない。
【０００６】
使用中の単一のキーの上述の開口は、残りのキーに対し角度（α）を形成し、また常に非常に堅固であり、従って、１つのキーの使用中にドアそれ自体又はその周りのフレームを傷つけることを回避するように、キーホルダ及び他のキーは、ドアから離して保持される。
【０００７】
さらに、各々のキーの最大寸法は、支承プレートの側壁の高さ以下であり、各々のキーの頭部の最大寸法はキーの幅に近い。この２つの条件のコンプライアンスは、キーホルダの寸法が著しく低減されることを意味する。
【０００８】
本発明による収容可能なキーホルダは、収容可能なキーホルダが、各々の横壁の寸法を画定する支承プレートであって、支承プレートの間にキーを保持するための回転できるように配置された少なくとも１つの軸と、各々のキーの頭部に作られた少なくとも１つの対応する溝と組み合わせて作用することによって、少なくとも１つの中間角度に設定できるこれらのキー用の少なくとも１つの位置決めピンと、から構成されるということを特徴とする。
【０００９】
各々のキーの頭部の最大寸法は、支承プレートの側壁の高さ以下であり、キーの幅に非常に近い。
【００１０】
上述のピンは、キーの対応する溝内への収容又はそれからの引き抜きを容易にするように、弾性変形可能な材料から作られる。
【００１１】
本発明の目的には、提案された目的の本質的な性質、特に以下の事を改変、変更又は修正しない特定の及び／又は代わりのアレンジメントが組み込まれている。
−キーを保持する１つのみの軸又は１より多い軸。
−キーが互いに対して、あるいはすべてが同一に面して配置される。
−各々のキーが、１以上の溝を有することができ、１つの角度（α）のみで、あるいは使用のために開いて出されたキーと、残りのキーとの間の様々な異なる角度で、１つまたは複数の位置でキーを開いて出すことができる。
−各々の支承プレートは、様々なプレートをそれらの間に取り付けるために、あるいは物体を固定位置（例えばキーホルダキャビネットのような）に保持するために、磁気的又は機械的であるかにかかわらず、任意の追加のアイテムを含む。
【００１２】
同様に、本発明の主題には、本発明の目的、特に、以下のことを改変しないアクセサリ、構造及び／又は設計に関する任意の修正が含まれる。
−ピン及び溝が作製される領域が、一方、又は他方、あるいは両方のいずれかが、弾性変形可能な材料から作製されるべきであること。
−基部プレートによって支承プレートの側壁を共に結合しても、結合しなくてもよいこと。
−ピンを収容するスロットが軸又はこの基部プレートにフィットする（これによって、キーの適切な領域の溝にもフィットする）こと。
【００１３】
本発明の目的をより良く理解するために、図は、本発明の基本的な概念を改変しない部材の組み込みによる変化が可能な、本発明の実用的な最良の製品を示している。
【発明を実施するための最良の形態】
【００１４】
次に、限定するように意図されない本発明の１つの実用的なアレンジメントについて説明する。
【００１５】
本発明の目的は、基本的に、支承プレート（１）と、複数のキー（４）と、キー（４）が開いて出されたときに隠された位置及び他の位置に、複数のキー（４）が回転して達することができるように、複数のキー（４）を支承プレート（１）に配置するための、かつこれらの位置の少なくとも１つにこのような複数のキー（４）を位置決め／保持するための手段と、から構成される収容可能なキーホルダである。
【００１６】
さらに、本発明の主題を形成する収容可能なキーホルダはまた、以下のものを有することが可能である。
−複数のキーが収納位置にあるときに複数のキー（４）を視覚から隠すカバー（７）、及び／又は
−１以上の隣接する他の支承プレート（１）の側面に固定されるための、又は主支承プレートと平行に、このようなプレート（１）を保持するための手段（５）、及び／又は
−例えば、支承プレート（１）をスナップリングに固定する手段（リング又は孔）、
を有することが可能である。
【００１７】
本発明に関連して、また図示したアレンジメント（図１と図２参照）によれば、支承プレート（１）は、キー（４）を保持する、回転可能な少なくとも１つのキーホルダ軸（２）が装着される側壁（１２）の各々の最小寸法を画定し、このため、キー（４）は、軸（２）を孔に収容できるようにキーの頭部に孔（４０）を有する。
【００１８】
同様に、少なくとも１つの位置決めピン（３）が壁部（１２）に取り付けられる。各々のキーホルダ軸（２）用の位置決めピン（３）がある。
【００１９】
図１〜図３に示したアレンジメントでは、ピン（３）は、軸（２）に生成されたスロットの内側にフィットし、溝（４１）がキー（４）の頭部の孔（４０）の周りに作製される。
【００２０】
図４〜図６に示したアレンジメントでは、支承プレート（１）はまた、側壁（１２)をそれらの縁部の一方に沿って互いに結合する大きさの基部プレート（１１）の寸法を画定し、複数のキー（４）は、外側の２つの位置の間隔が平行とならない、１８０°の回転に制限される。
【００２１】
このアレンジメントでは、ピン（３）は、この基部プレート（１１）に作られた横断スロットにフィットし、溝（４１）がキー（４）の頭部の外周に作られる。
【００２２】
２つの変更のいずれかで、ピン（３）は、弾性変形可能な材料（ゴム又は同様の材料）から作られ、またスロットに対し大きめに設計される。この大きめに設計された部分は、キー（４）内の溝（４１）に達する部分であり、スロットの内側で、その特定の角度でキーを保持する。
【００２３】
代替方法として、モデルの本質的な性質を決して変更することなく、ピン（３）及びそれが収容されるスロットは、剛性材料から作製でき、溝（４１）が作られるキー（４）の周りの領域は弾性変形可能である。
【００２４】
様々なアレンジメントの任意のものにおいて、この溝（４１）の角度に応じて、支承プレート（１）に対してかつ収納位置に残された複数のキー（４）に対してキー（４）が開いて出されたときにキー（４）によって形成される角度（α）は、異なるであろう。
【００２５】
好ましくは、溝（４１）の一つは、開いて出されるキー（４）が直角（すなわちα＝90°）を形成するように作られるが、開いて出されるキー（４）が、支承プレート（１）に対してかつ収納位置にある残りの複数のキー（４）に対して任意の角度（α）を形成するように、キー（４）の頭部の周りの任意の部分に溝（４１）を作製することができる。図３と図６では、３つの溝（４１）は、９０°ごとに作られ、互いに非平行に配置される。
【００２６】
論理的に、キーホルダ軸（２）又は各々の既存のキーホルダ軸（２)は、主キーホルダ（１）に複数のキー（４）を置くか又はそれから取り外すことができるように、支承プレート（１）に対し取り外すことができる。
【００２７】
本発明による収容可能なキーホルダでは、各々のキー（４）の頭部の最大寸法（Ｄ）は、支承プレート（１）の側壁（１１）の高さ（ｈ）以下であり、キーの幅に非常に近い。複数のキー（４）がこの２つの条件を満たすことにより、キーホルダの全体寸法を著しく低減することが可能である。
【００２８】
本発明の収容可能なキーホルダはまた、複数のキーが支承プレート（１）の内側に収納されるときに複数のキー（４）を視覚から隠すために、カバー（７）を取り付けるように設計されている。
【００２９】
このカバー（７）は、例えば第２の軸（６）に装着でき、２つの開／閉位置の間で回転することができる（図７参照）。
【００３０】
さらに、各々の支承プレート（１）は、例えば壁部（１２）の少なくとも一方の外側に取り付けられた磁石を有することによって、１つ以上の隣接する他の支承プレート（１）の側面に固定されるための、あるいはこれらの支承プレート（１）の側面が、例えば基部プレート（１１）の外側に装着される磁石により、固定表面（例えば平坦な金属プレート）に取り付けられるための手段（５）を組み込む。
【００３１】
本発明の主題を形成する収容可能なキーホルダはまた、収容可能なキーホルダを例えばスナップリングに固定するための孔又はリングのような他の手段を組み込む可能性を含むように、あるいは通常の従来のキーホルダが掛けられるのと同様に、収容可能なキーホルダをキーホルダキャビネットに掛けるように設計される。
【図面の簡単な説明】
【００３２】
【図１】一つのキー（４）が開いて出され、残りのキーが収納位置にある本発明による収容可能なキーホルダの概略正面図である。図では、ピン（３）は軸（２）のスロットにフィットし、複数のキー（４）は、それらの孔（４０）の周りに作られた溝（４１）でピン（３）にフィットする。
【図２】図１に示した同一のキーの平面図である。図では、ピン（３）は軸（２）のスロットにフィットし、複数のキー（４）は、それらの孔（４０）の周りに作られた溝（４１）でピン（３）にフィットする。
【図３】図２のＡ−Ａ断面図であり、図では、ピン（３）は軸（２）のスロットにフィットし、複数のキー（４）は、それらの孔（４０）の周りに作られた溝（４１）でピン（３）にフィットする。
【図４】図１と等価である別のアレンジメントの図面であり、支承プレート（１）の側壁（１２）は基部プレート（１１）によって互いに結合され、ピン（３）は、このプレート（１１）に作製された横断スロットの内側にフィットし、 キー（４）は、それらの頭部の周りの溝（４１）でピン（３）にフィットする。
【図５】図２と等価である別のアレンジメントの図面であり、支承プレート（１）の側壁（１２）は基部プレート（１１）によって互いに結合され、ピン（３）は、このプレート（１１）に作製された横断スロットの内側にフィットし、 キー（４）は、それらの頭部の周りの溝（４１）でピン（３）にフィットする。
【図６】図３と等価である別のアレンジメントの図面であり、支承プレート（１）の側壁（１２）は基部プレート（１１）によって互いに結合され、ピン（３）は、このプレート（１１）に作製された横断スロットの内側にフィットし、 キー（４）は、それらの頭部の周りの溝（４１）でピン（３）にフィットする。
【図７】図４と同様の図面を示しており、すべてのキー（４）は内部に収納され、カバー（７）と、他の支承プレート（１）の側面に又は固定面に固定する手段（５）とを備える、別のアレンジメントを示す。
【図１】
2008508009.tif 000003
【図２】
2008508009.tif 000004
【図３】
2008508009.tif 000005
【図４】
2008508009.tif 000006
【図５】
2008508009.tif 000007
【図６】
2008508009.tif 000008
【図７】
2008508009.tif 000009
【国際調査報告】
2008508009.tif 000010
2008508009.tif 000011
2008508009.tif 000012
2008508009.tif 000013